【事件の表示】
　平成１年特許願第１１２９８号「デジタル音楽情報の出力装置」拒絶査定に対する審判事件（平成２年７月３０日出願公開、特開平２−１９２２５９）について、次のとおり審決する。
【結論】
　本件審判の請求は、成り立たない。
【理由】
（手続の経緯、本願発明）
　本願は、平成１年１月１９日の出願であって、その請求項１に係る発明は、明細書及び図面の記載からみて、特許請求の範囲の請求項１に記載された次のとおりのものである。（以下、「本願発明」という。）
「カラオケなどのデジタル音楽情報をデータベースとしたホストコンピュータと公衆回線を介して上記音楽情報を伝送し、再生・出力する装置において、上記音楽情報は時間管理データと音量データと音階データと音色データとからなり、上記ホストコンピュータからインターフェイスを介して伝送された上記音楽情報を制御するＣＰＵ２と、上記音楽情報を一時的に記憶する主メモリ４と、予め各種の楽器音をサンプリングした後に符号化した複数の波形メモリ９と、上記ＣＰＵを駆動するクロックを上記主メモリに記憶された音楽情報に混在する上記音階データに基づいて順次分周し、目的の周波数を順次発生する音階制御分周器８と、上記音量データで指定された音の強弱情報によって音量を変化させる音量用Ｄ／Ａコンバータ６と、上記波形メモリに記憶されたサンプリング波形のうちから上記音色データで指定された波形をアナログ信号に変換する波形用Ｄ／Ａコンバータ１０と、これらのＤ／Ａコンバータのアナログ信号を合成出力する電圧制御アンプとからなり、上記時間管理データに基づいて上記クロックによってデータ演算の時間管理を行うことを特徴としたデジタル音楽情報の出力装置。」
（引用例）
　原査定の拒絶の理由に引用された、特開昭６０−８３０９０号公報（以下、「引用例１」という。）には、
「電話回線２を通じて伝送されてきた演奏データＢＤはカラオケ装置のボックスに設けられた音響カプラ１０から装置内に取り込まれ、モデム１１によりシリアルなデジタルデータに変換される。演奏データＢＤにはカラオケ装置の動作を制御する制御データ、音程、強弱、音長などのデータなどから成り、制御データにはシステムの初期化、伝送の開始、終了、音色などのデータが含まれる。この演奏データはコミュニケーションポート１２によりパラレルデータに変換され、中央演算処理装置（以下「ＣＰＵ」という）１３により編集されて一曲分の演奏データが外部メモリ１４に記憶される。曲には１つずつ局番号が対応して定められている。外部メモリ１４には、カセットテープ、フロッピーディスク、磁気バブルなどが用いられる。一曲分の演奏データがすべて外部メモリ１４に転送され書込まれた後キーボード１５から演奏指令を入力すると、中央演算処理装置１３は外部メモリ１４に書込まれた演奏データをプログラムに従い読み出し、楽音信号発生回路１６およびリズム発生器１７に演奏パラメータを与える。たとえば音色を定めるパラメータは高調波の含有量、波形の立上り時間（アタツク）、減衰時間（デイケイ）、保持量（サステイン）、消失時間（リリース）などであり、これらは、ＣＰＵ１３のメモリ（ＲＯＭ）に予じめ格納されており、演奏データの中の音色制御データで読み出される。効果付与機能を有する増幅器１８はマイクロホン１９からの音声信号と楽音信号発生回路１６からの楽音信号とリズム発生器１７からのリズム楽音信号とを適度に混合しエコー効果などの効果を付与してスピーカ２０から演奏音と歌声とを発生する。」（第２頁右下欄第１０行〜第３頁右上欄第３行）ことが記載されている。
　同じく引用された、特開昭５７−３６４８６号公報（以下、「引用例２」という。）には、「楽譜データを記憶したメモリに音量変化率データを記憶させると共にメモリから読出した音量変化率データに基づいて音量制御信号を形成し、この音量制御信号に応じて自動演奏音の音量を制御するようにした」（第１頁右下欄第１４〜１８行）、
「読取装置１０は、楽譜１２の一部に設けた磁気テープなどからなる記憶媒体１２ａからなる音符データ、符長データ、音量変化率データ等を読取るもので、その読取データをメモリ１４に記憶させるようになっている。」（第２頁左上欄第３〜７行）、
「メモリ１４から音符Ａに対応した音高データが読出される。・・・この音高データ信号に応じて楽音形成回路４８は電子的に楽音信号を合成し、ＶＣＡ（電圧制御型アンプ）からなる可変音量回路５０に供給する。」（第３頁左上欄第１〜１０行）、
「メモリ１４から音符Ａ〜Ｄの区間の音量変化率△Ａ１を示すデータが読出される。・・・この音量データ信号はＤ／Ａ変換回路５６及び積分回路５８を介して音量制御信号ＶＣ１として回路２５から送出される。そして、この音量制御信号ＶＣ１は抵抗Ｒ１を介して可変音量制御回路５０に供給されるので、楽音形成回路４８からの音符Ａに対応した楽音信号の音量特性は音量制御信号にＶＣ１に応じて可変制御される。」（第３頁左上欄第１２行〜左下欄第５行）ことが記載されている。
（対比）
　本願発明と引用例１に記載されたものとを対比する。
　本願の明細書には、「クロックはＣＰＵによるデータ演算の時間管理を行い、音符の長さ・演奏のテンポなどを制御する基礎として用いられる。」ことが記載されている。つまり、「音符の長さ」は、時間管理データの一つである。したがって、引用例１に記載されている「音長」は、本願発明の「時間管理データ」に相当する。
　そして、引用例１では、外部メモリ１４に書き込まれた演奏データすなわち、音程、音色、強弱のデータとともに、音長の時間管理データを、プログラムにしたがって読出し、楽音信号発生回路１６から楽音信号を出力させているが、このとき、この楽音信号発生回路１６は、その入力と出力とを、中央演算処理装置（ＣＰＵ）１３のクロックパルスにより、同期を取りながら、動作するものであるから、音長の時間管理データが楽音信号発生回路１６に入力されると、上記クロックパルスで、音長の時間管理データを制御していることは、明かである。したがって、本願発明の「時間管理データに基づいてＣＰＵを駆動するクロックによってデータ演算の時間管理を行う」ことも、引用例１に記載されているに等しい。
　引用例１の楽音信号発生回路１６は、楽音信号を出力し、アナログ信号であることは明かであから、この回路には、Ｄ／Ａコンバータに相応する回路があるものである。
　引用例１に記載された外部メモリ１４は、電話回線により伝送されてきた演奏データを、演奏指令が入力されるまで、一時的に記憶するものであるから、本願発明の主メモリに相当する。
　したがって、両者は、「カラオケなどのデジタル音楽情報をデータベースとしたホストコンピュータと公衆回線を介して上記音楽情報を伝送し、再生・出力する装置において、
　上記音楽情報は時間管理データと音量データと音階データと音色データとからなり、上記ホストコンピュータからインターフェイスを介して伝送された上記音楽情報を制御するＣＰＵと、上記音楽情報を一時的に記憶する主メモリと、楽音信号発生回路と、アナログ信号を出力するアンプとからなることを特徴としたデジタル音楽情報の出力装置。」である点で一致し、
　楽音信号発生回路とアンプに関して、本願発明は、「予め各種の楽器音をサンプリングした後に符号化した複数の波形メモリと、上記ＣＰＵを駆動するクロックを上記主メモリに記憶された音楽情報に混在する上記音階データに基づいて順次分周し、目的の周波数を順次発生する音階制御分周器と、上記音量データで指定された音の強弱情報によって音量を変化させる音量用Ｄ／Ａコンバータと、上記波形メモリに記憶されたサンプリング波形のうちから音色データで指定された波形をアナログ信号に変換する波形用Ｄ／Ａコンバータと、これらのＤ／Ａコンバータの信号を合成出力する電圧制御アンプ」に対して、
　引用例１のものは、「楽音信号発生回路と、この信号を出力する増幅器」とあるだけで、その具体的回路が記載されていない点で、相違している。
（当審の判断）
　上記相違点について検討する。
　引用例２には、楽音形成回路４８に、Ｄ／Ａコンバータが明記されていないが、引用例１と同様に、Ｄ／Ａコンバータに相応する回路があるものである。
　そして、引用例２には、楽譜データ（本願発明の音楽情報に対応する。）から楽音信号を出力するとき、音量データを音量制御信号形成回路と、音高データ（本願発明の音階データに対応する。）を楽音形成回路との２つの回路で処理し、これらの２つの回路からの信号を電圧制御アンプで合成出力することが記載されている。
　したがって、この引用例２のものも、楽音信号を得るものであるから、引用例１の楽音信号発生回路１６と増幅器１８とに、引用例２に記載された技術を用いて、本願発明を構成することは、当業者が容易に採用しうることである。
　このとき、楽音信号を得るための、楽音信号発生回路において、
（ａ）「予め各種の楽器音をサンプリングした後に符号化した複数の波形メモリと、クロックを、音階データに基づいて順次分周し、目的の周波数を順次発生する音階制御分周器」を設けるこは、周知技術（周知例、特開昭６１−１３４７９８公報には、キーコードデータＫＣから、分周データＤＮがでると、可変分周器２８は所定の分周をして、この分周出力パルスＤＰで、波形メモリ１４を読出すことが示されている。）にすぎないし、
　また、（ｂ）所定のクロックを得るために、マスタークロックを分周すること自体はすでに周知であるので、「ＣＰＵを駆動するクロック」を分周することも、格別なことでないし、
　さらに、（ｃ）「波形メモリに記憶されたサンプリング波形のうちから音色データで指定された波形」を読み出すことも、周知技術（上記周知例には、波形サンプリングデータを波形メモリに記憶させておき、この波形メモリから波形サンプリングデータを読み出すことにより自然楽器音と同様の複雑な音色変化を示す楽音信号を発生させることが示されている。）にすぎない。
　そして、これら（ａ）（ｂ）（ｃ）は、楽音信号発生回路を構成するとき、当業者が普通に採用するもので、これにより格別な作用効果があるとも認められない。
（むすび）
　以上のとおりであるから本願発明は、引用例１〜２に記載されたものから当業者が容易に発明をすることができたものと認められるから、特許法第２９条第２項の規定により特許を受けることができない。
　よって、結論のとおり審決する。